(57)【要約】【課題】撮像装置全体の大型化を抑制しながら、撮像装置内の発熱源の冷却及び／又は撮像レンズでの結露の発生の抑制を可能とする。【解決手段】レンズ鏡筒４とカメラ本体３の間に配置されてレンズ鏡筒４及びカメラ本体３と接続されるマウントアダプタ２は、レンズ鏡筒と接続される前面マウント部２０７と、カメラ本体３と接続される背面マウント部２１３と、前面マウント部２０７と背面マウント部２１３に接触する熱伝導部材２１１１と、熱伝導部材２１１１を冷却又は加熱するペルチェ素子２０６を備える。【選択図】図６
2020079874.tif 000002
【特許請求の範囲】
【請求項１】
レンズ鏡筒とカメラ本体の間に配置されて前記レンズ鏡筒および前記カメラ本体と接続されるマウントアダプタであって、
前記レンズ鏡筒と接続される第１のマウント部と、
前記カメラ本体と接続される第２のマウント部と、
前記第１のマウント部と前記第２のマウント部の少なくとも一方に接触する熱伝導部材と、
前記熱伝導部材を冷却または加熱する熱電素子と、を備えることを特徴とするマウントアダプタ。
【請求項２】
前記熱電素子はペルチェ素子であることを特徴とする請求項１記載のマウントアダプタ。
【請求項３】
前記マウントアダプタは、外周を囲う外装部を有し、
前記外装部において前記熱電素子と対面する部分に空気穴が設けられていることを特徴とする請求項１又は２に記載のマウントアダプタ。
【請求項４】
前記カメラ本体と接続されて前記カメラ本体が正姿勢にある状態で、前記熱電素子は前記マウントアダプタの光軸より上側の面に配置されることを特徴とする請求項３に記載のマウントアダプタ。
【請求項５】
前記熱伝導部材に固定され、前記熱伝導部材よりも熱伝導率の小さい樹脂からなる本体部を有し、前記外装部が前記本体部に固定されていることを特徴とする請求項３又は４に記載のマウントアダプタ。
【請求項６】
前記熱伝導部材は、前記第１のマウント部と前記第２のマウント部の両方に接触していることを特徴とする請求項１乃至５のいずれか１項に記載のマウントアダプタ。
【請求項７】
レンズ鏡筒とカメラ本体の間に配置されて前記レンズ鏡筒および前記カメラ本体と接続されるマウントアダプタであって、
前記レンズ鏡筒と接続される第１のマウント部と、
前記カメラ本体と接続される第２のマウント部と、
前記第１のマウント部と接触する第１の熱伝導部材と、
前記第２のマウント部と接触する第２の熱伝導部材と、
前記第１の熱伝導部材に接触する排熱面と、前記第２の熱伝導部材に接触する吸熱面とを有する熱電素子と、を備えることを特徴とするマウントアダプタ。
【請求項８】
前記第１の熱伝導部材の温度を測定する温度計が前記第１の熱伝導部材に配置されていることを特徴とする請求項７に記載のマウントアダプタ。
【請求項９】
前記第１の熱伝導部材と前記第２の熱伝導部材は直接接触していないことを特徴とする請求項７又は８に記載のマウントアダプタ。
【請求項１０】
前記カメラ本体と接続された状態で前記カメラ本体に設けられた電源および制御手段と接続される電子接点を有し、
前記電子接点を介して、前記熱電素子を駆動するための電力の供給を前記電源から受けると共に前記熱電素子を駆動するため制御信号を前記制御手段から受信することを特徴とする請求項１乃至９のいずれか１項に記載のマウントアダプタ。
【請求項１１】
カメラ本体に接続されるレンズ鏡筒であって、
レンズと、
前記レンズと接触する第１の熱伝導部材と、
前記カメラ本体と接続されるマウント部と、
前記マウント部と接触する第２の熱伝導部材と、
前記第１の熱伝導部材に接触する排熱面と、前記第２の熱伝導部材に接触する吸熱面とを有する熱電素子と、を備えることを特徴とするレンズ鏡筒。
【請求項１２】
前記第１の熱伝導部材の温度を測定する温度計が前記第１の熱伝導部材に配置されていることを特徴とする請求項１１に記載のレンズ鏡筒。
【請求項１３】
前記第１の熱伝導部材と前記第２の熱伝導部材は直接接触していないことを特徴とする請求項１１又は１２に記載のレンズ鏡筒。
【請求項１４】
請求項１乃至１０のいずれか１項に記載のマウントアダプタと、
前記マウントアダプタと接続されるカメラ本体と、
前記マウントアダプタと接続されるレンズ鏡筒と、を備えることを特徴とする撮像装置。
【請求項１５】
請求項１１乃至１３のいずれか１項に記載のレンズ鏡筒と、
前記レンズ鏡筒と接続されるカメラ本体と、を備えることを特徴とする撮像装置。
【発明の詳細な説明】
【技術分野】
【０００１】
本発明は、マウントアダプタ、レンズ鏡筒及び撮像装置に関する。
【背景技術】
【０００２】
近年、ＣＣＤセンサやＣＭＯＳセンサ等の撮像素子を用いた撮像装置では、高性能化に伴って撮像装置内部で発生する熱量が増大する傾向にある。例えば、撮像素子での画素数増大に伴って、撮像素子で発生する熱量が増大している。撮像素子には温度が高くなると暗電流ノイズが増大するという性質があり、暗電流ノイズが増大すると画質が低下するという問題がある。そこで、例えば特許文献１は、ペルチェ素子等を用いて撮像素子を冷却することにより、暗電流ノイズを抑える技術を提案している。
【０００３】
また、撮像素子から出力される画像情報の増大や種々の画像処理を高速に行うために、半導体装置を主として構成されて撮像装置内部に装備される情報処理回路では、動作周波数が高くなる傾向にある。一般的に、半導体装置では、動作周波数が高くなると消費電力が増大し、これに伴って発生する熱量が増大するが、半導体装置は温度が高くなるとその処理能力を十分に発揮することができなくなる。そのため、撮像装置の内部で発生した熱を外部に放出するための放熱対策が重要となってくる。
【０００４】
また、寒い屋外から暖かい屋内に撮像装置を移動した際や天体撮影を行う際には、レンズ鏡筒の最前面部に配される最前部レンズに結露（所謂、くもり）が発生することがある。こうして最前部レンズに結露が発生すると、鮮明な画像撮影ができなくなるという問題が生じる。この問題に対して、特許文献２は、円筒状に構成されたペルチェ素子とレンズユニット内の温度を検出する複数の温度センサを備え、レンズユニットの温度を一定に保つことで、最前部レンズでの結露の発生を抑制する技術を提案している。
【先行技術文献】
【特許文献】
【０００５】
【特許文献１】特開２０１０−２１３０００号公報
【特許文献２】特開２００６−３３７７６５号公報
【発明の概要】
【発明が解決しようとする課題】
【０００６】
しかしながら、上記特許文献１に開示された技術では、撮像装置本体の底面部に冷却用装置を別途装着する必要があるため、撮像装置全体が大型化してしまうという問題がある。また、上記特許文献２に開示された技術では、最前部レンズでの結露の発生を抑制することはできるが、撮像装置本体の内部で発生した熱を外部へ放熱する効果はないに等しい。つまり、撮像装置内の発熱源を冷却する効果はないに等しい。
【０００７】
本発明は、撮像装置全体の大型化を抑制しながら、撮像レンズでの結露の発生の抑制、及び／又は、撮像装置内の発熱源の冷却を可能とするカメラアクセサリを提供することを目的とする。
【課題を解決するための手段】
【０００８】
本発明に係るカメラアクセサリは、レンズ鏡筒とカメラ本体の間に配置されて前記レンズ鏡筒および前記カメラ本体と接続されるマウントアダプタであって、前記レンズ鏡筒と接続される第１のマウント部と、前記カメラ本体と接続される第２のマウント部と、前記第１のマウント部と前記第２のマウント部の少なくとも一方に接触する熱伝導部材と、前記熱伝導部材を冷却または加熱する熱電素子と、を備えることを特徴とする。
【発明の効果】
【０００９】
本発明によれば、撮像装置全体の大型化を抑制しながら、撮像レンズでの結露の発生の抑制及び／又は撮像装置内の発熱源の冷却を可能とする。
【図面の簡単な説明】
【００１０】
【図１】本実施形態に係るカメラ本体の外観斜視図と、カメラ本体の内部構造を説明する分解斜視図である。
【図２】カメラ本体の内部構造を説明する斜視図である。
【図３】第１実施形態に係る撮像システムの斜視図及び分解斜視図である。
【図４】第１実施形態に係る撮像システムの概略構成を示すブロック図である。
【図５】第１実施形態でのマウントアダプタの斜視図及び分解斜視図である。
【図６】第１実施形態でのアダプタ本体ユニットの分解斜視図である。
【図７】第１実施形態でのマウントアダプタの正面図、断面図、部分拡大図である。
【図８】第２実施形態に係るマウントアダプタの斜視図及び分解斜視図である。
【図９】第２実施形態でのアダプタ本体ユニットと背面マウント部の分解斜視図である。
【図１０】第２実施形態でのマウントアダプタの正面図、断面図、部分拡大図である。
【図１１】第３実施形態に係るレンズ鏡筒の斜視図及び分解斜視図である。
【図１２】第３実施形態での鏡筒ユニットと背面マウント部の分解斜視図である。
【図１３】第３実施形態でのレンズ鏡筒の正面図、断面図、部分拡大図である。
【発明を実施するための形態】
【００１１】
以下、本発明の実施形態について、添付図面を参照して詳細に説明する。図１（ａ）は、本発明の実施形態に係る撮像装置における撮像装置本体（以下「カメラ本体」という）３の概略構成を示す外観斜視図である。本発明の実施形態に係る撮像装置は、所謂、ミラーレス一眼レフカメラ（以下「ミラーレスカメラ」という）である。カメラ本体３は、レリーズスイッチ３１０、動画開始スイッチ３１１、モード切り替えスイッチ３１２及び電源スイッチ３１３を備える。
【００１２】
レリーズスイッチ３１０は、静止画撮影を開始するための操作手段である。動画開始スイッチ３１１は、動画撮影を開始するための操作手段である。モード切り替えスイッチ３１２は、撮像装置での静止画記憶モード、動画撮影モード、再生モード等のいずれかに切り替える動作指示を入力するための操作手段である。電源スイッチ３１３は、カメラ本体３の電源のオン／オフ（動作／非動作の状態の切り替え）を行う操作手段である。
【００１３】
図１（ｂ），（ｃ）はそれぞれ、カメラ本体３の主要構成部品を説明する分解斜視図であり、図１（ｂ），（ｃ）では各部品を見る方向が逆になっている。カメラ本体３は、回路基板３００、撮像部３０３、カメラ本体ベース部３１７及びカメラ本体マウント部３１８を有する。
【００１４】
回路基板３００には、カメラ本体３の全体制御を行うシステム制御部３０２と、システム制御部３０２の温度を測定する第１の内部温度計３０９ｂと、その他各種の電子部品等が実装されている。システム制御部３０２は、ＣＰＵを中心に構成されており、カメラ本体３の全体制御を行うが、カメラ本体３に後述するマウントアダプタやレンズ鏡筒等のアクセサリが装着された際には、これらのアクセサリの動作を含めた全体制御を行う。撮像部３０３は、ＣＭＯＳ等の撮像素子と、撮像素子の温度を測定する第２の内部温度計３０９ａを有し、システム制御部３０２に電気的に結合されている。第１の内部温度計３０９ｂと第２の内部温度計３０９ａによる各温度測定結果は、システム制御部３０２に提供される。換言すれば、システム制御部３０２は、常時、第１の内部温度計３０９ｂと第２の内部温度計３０９ａによる各温度測定結果に基づいて、システム制御部３０２自身と撮像部３０３の温度を監視している。システム制御部３０２と撮像部３０３（撮像素子）は、動作によって熱を発生させる発熱源である。
【００１５】
カメラ本体ベース部３１７は、カメラ本体３の骨格となる部品である。カメラ本体マウント部３１８は、不図示の撮像レンズを固定するための部品であり、カメラ本体ベース部３１７に固定されている。カメラ本体ベース部３１７は、例えば、アルミニウム、銅、マグネシウム等を主成分とする合金等の熱伝導率の大きい材料で形成されている。回路基板３００と撮像部３０３はそれぞれ、カメラ本体ベース部３１７に対してビス３１９，３２０により固定されている。
【００１６】
図２（ａ）は、図１（ｂ）に示すカメラ本体３の主要構成部品が組み付けられた状態を前方側から見て示す斜視図である。図２（ａ）は、図１（ｃ）に示すカメラ本体３の主要構成部品が組み付けられた状態を後方側から見て示す斜視図である。カメラ本体３の撮影動作時の情報処理に伴う電力消費に伴って撮像部３０３（の主に撮像素子）で発生する熱は、矢印Ｈ１で示すようにカメラ本体ベース部３１７へ伝わり、更にカメラ本体マウント部３１８へ伝わる。また、システム制御部３０２で発生した熱は、矢印Ｈ２で示すように、カメラ本体ベース部３１７に伝わり、更にカメラ本体マウント部３１８へ伝わる。こうして、撮像部３０３やシステム制御部３０２で発生した熱により、カメラ本体マウント部３１８の温度が上昇する。
【００１７】
ここで、一般的に、クイックリターンミラーを備える一眼レフカメラ（以下「一般的な一眼レフカメラ」という）とミラーレスカメラとでは、クイックリターンミラーの有無に起因してフランジバック距離が異なる。つまり、一般的な一眼レフカメラでは、光学ファインダへの導光を行うためのミラーがフランジバック距離部に必要となるが、ミラーレスカメラのカメラ本体３では、それが不要であるため、フランジバック距離の長さを短くすることができる。その一方で、カメラ本体３の全体的な表面積は一般的な一眼レフカメラよりも小さくなることで、ミラーレスカメラは、放熱性の点では、一般的な一眼レフカメラよりも不利になる。
【００１８】
そこで、カメラ本体３では、撮像部３０３やシステム制御部３０２等の内部発熱部がカメラ本体マウント部３１８と熱的にダイレクトに結合しており、カメラ本体３内で発生した熱がカメラ本体マウント部３１８へ伝わりやすい構成となっている。そのため、カメラ本体マウント部３１８の温度を下げることにより、撮像部３０３（撮像素子）と回路基板３００（システム制御部３０２）の温度を下げることが可能となる。つまり、カメラ本体マウント部３１８の温度を下げることにより、カメラ本体３内の発熱源を冷却すること、換言すれば、カメラ本体３の内部温度の上昇を抑制すること、ができる。
【００１９】
＜第１実施形態＞
第１実施形態では、カメラ本体３のカメラ本体マウント部３１８に着脱自在なマウントアダプタについて説明する。図３（ａ）は、撮像システム１の斜視図であり、図３（ｂ）は、撮像システム１の分解斜視図である。撮像システム１は、カメラ本体３と、マウントアダプタ２と、レンズ鏡筒４を備える。レンズ鏡筒４は、一般的な一眼レフカメラのフランジバックに適合した、一般的な一眼レフカメラのカメラ本体に対して着脱可能なレンズ鏡筒（交換レンズ）である。マウントアダプタ２は、ミラーレスカメラのカメラ本体３のフランジバックをレンズ鏡筒４に適した長さに補正すると共に、カメラ本体３とレンズ鏡筒４とを電気的に接続するためのカメラアクセサリである。なお、図３（ｂ）に示す破線５ａは、レンズ鏡筒４の光軸中心を表している。
【００２０】
図４は、撮像システム１の概略構成を示すブロック図である。レンズ鏡筒４は、光学レンズ群４０１、絞り４０２、鏡筒電子接点４０３、レンズシステム制御回路４０４、ＡＦ駆動回路４０５及び絞り駆動回路４０６を有する。マウントアダプタ２は、背面電子接点２０１、前面電子接点２０２、マウントアダプタシステム回路２０３、アダプタ温度計２０４、ペルチェ駆動回路２０５及び熱電素子の一例としてのペルチェ素子２０６を有する。カメラ本体３は、カメラ本体電子接点３０１、シャッタ３０４、Ａ／Ｄ変換部３０５、メモリ制御部３０６、画像処理部３０７、メモリ３０８、電源部３１４、電源制御部３１５及び不揮発性メモリ３２６を有する。なお、図３に示されているカメラ本体３の構成要素であって既に図１に示したものについては、前記の構成要素の列記における記載を省略しており、以下では追加説明のみを行うこととする。
【００２１】
レンズ鏡筒４において、光学レンズ群４０１は、被写体からの入射光を撮像部３０３へ集光して光学像を生成する。なお、光学レンズ群４０１は一般的に複数枚のレンズで構成されるが、図４では簡略化させて１枚のレンズのみを示している。絞り４０２を調整することにより、入射光量を調整することができる。鏡筒電子接点４０３は、レンズ鏡筒４がマウントアダプタ２を介してカメラ本体３と通信を行うための電気接続端子であり、マウントアダプタ２の前面電子接点２０２と電気的に接続される。レンズシステム制御回路４０４は、鏡筒電子接点４０３及びマウントアダプタ２を介して、カメラ本体３のシステム制御部３０２との間で通信を行う。レンズシステム制御回路４０４は、システム制御部３０２からの通信情報に応じて、絞り駆動回路４０６を介して絞り４０２を制御し、また、ＡＦ駆動回路４０５を介して光学レンズ群４０１の位置を変化させることで合焦動作を行う。
【００２２】
マウントアダプタ２において、前面電子接点２０２は、レンズ鏡筒４の鏡筒電子接点４０３と電気的に接続される電気接続端子である。背面電子接点２０１は、カメラ本体３のカメラ本体電子接点３０１と電気的に接続される電気接続端子である。前面電子接点２０２と背面電子接点２０１は、マウントアダプタ２の内部の不図示の配線によって電気的に接続されている。こうして、マウントアダプタ２は、カメラ本体３のシステム制御部３０２とレンズ鏡筒４のレンズシステム制御回路４０４を接続するバスの役割を担っている。
【００２３】
マウントアダプタシステム回路２０３は、背面電子接点２０１に電気的に接続されてカメラ本体３と電源を共有し、また、システム制御部３０２から制御信号を受信することによってシステム制御部３０２による制御下で動作する。また、マウントアダプタシステム回路２０３は、アダプタ温度計２０４による温度測定結果をシステム制御部３０２へ通知し、ペルチェ駆動回路２０５を介してペルチェ素子２０６の駆動を制御する。
【００２４】
ペルチェ素子２０６は、周知の通り、異なる２種類の金属又は半導体（ｎ型とｐ型）を２つの点で接合した構成を有する熱電素子である。ペルチェ素子２０６に電流を流すと、一方の接点から他方の接点へ熱を輸送することができ、その結果として、一方の接点は冷却され、他方の接点は加熱される。
【００２５】
カメラ本体３において、シャッタ３０４は、システム制御部３０２による制御下で撮像部３０３の撮像素子に対する露光時間を調整するフォーカルプレーンシャッタである。撮像部３０３に実装された撮像素子は、光学レンズ群４０１により結像した光学像をアナログ画像信号に変換するＣＣＤやＣＭＯＳ等の光電変換素子により構成される。撮像素子の受光面には、被写体輝度を検出する輝度検出部３０３ａと、位相差ＡＦを行うための位相差情報を出力する焦点検出部３０３ｂが設けられている。輝度検出部３０３ａは、システム制御部３０２に被写体の輝度情報を提供する。システム制御部３０２は、輝度検出部３０３ａからの輝度情報に基づいて露光制御（露光条件の設定）を行う。焦点検出部３０３ｂはシステム制御部３０２に位相差情報を提供する。システム制御部３０２は、焦点検出部３０３ｂから取得した位相差情報に基づいてデフォーカス量を算出し、算出したデフォーカス量に基づいてレンズ鏡筒４を制御して、焦点位置を調整する。
【００２６】
Ａ／Ｄ変換部３０５は、撮像素子から出力されるアナログ画像信号をデジタル画像信号に変換し、メモリ制御部３０６や画像処理部３０７に出力する。メモリ制御部３０６は、Ａ／Ｄ変換部３０５から出力されたデジタル画像信号や画像データを一時的に格納し、所定のタイミングで所定の回路や素子へ出力する。画像処理部３０７は、Ａ／Ｄ変換部３０５から出力されたデジタル画像信号又はメモリ制御部３０６に一時的に格納されたデジタル画像信号に対して、画素の補間、間引き等のリサイズ処理や色変換処理等の各種の画像処理を行う。また、画像処理部３０７は、メモリ制御部３０６の所定のフォーマットに準じた画像データを生成する。メモリ３０８は、画像データを格納するための記憶手段であり、所定数の静止画像データや所定時間の動画像データ、音声データを格納するために必要十分な記憶容量を有する。不揮発性メモリ３１６は、データ読み出し専用の記憶手段であり、例えば、ＥＥＰＲＯＭ等が用いられている。不揮発性メモリ３１６には、システム制御部３０２の動作用の定数やプログラム等が記憶される。
【００２７】
システム制御部３０２は、少なくとも１つの集積回路（ＣＰＵ）とその周辺回路（各種の電子素子、電気素子）により構成されている。システム制御部３０２は、不揮発性メモリ３１６に記憶されたプログラムを実行することにより、カメラ本体３の動作を統括的に制御すると共にマウントアダプタ２やレンズ鏡筒４の動作を制御することにより、撮像システム１の全体制御を行う。
【００２８】
電源制御部３１５は、ＤＣ−ＤＣコンバータ、通電ブロックを切り替えるスイッチ回路等により構成され、電源部３１４の検出結果とシステム制御部３０２からの指示に基づいてＤＣ−ＤＣコンバータを制御する。これにより、電源制御部３１５を通じて、カメラ本体３の各ブロック、レンズシステム制御回路４０４及びマウントアダプタシステム回路２０３へ、必要な電圧（電力）が必要な期間、供給される。電源部３１４は、アルカリ電池やリチウム電池等の一次電池、ニッカド電池やニッケル水素電池、リチウムイオン電池等の二次電池或いはＡＣアダプタ等である。
【００２９】
次に、マウントアダプタ２の構成についてより詳細に説明する。図５（ａ）は、マウントアダプタ２の外観斜視図である。図５（ｂ）は、マウントアダプタ２の分解斜視図である。マウントアダプタ２は、不図示のレンズ鏡筒４側から順に配置された、前面マウント部２０７（第１のマウント部）、マウントバネ２０８、アダプタ本体ユニット２１１、マウントアダプタ外装部２１２及び背面マウント部２１３（第２のマウント部）を有する。また、マウントアダプタ２は、三脚座固定部２０９とマウントロックピン２１０を有する。
【００３０】
前面マウント部２０７は、金属で構成され、レンズ鏡筒４と当接するマウント面を有している。前面マウント部２０７の背面に配置されたマウントバネ２０８は、レンズ鏡筒４の光軸方向でのガタつきを低減させるために、レンズ鏡筒４が前面マウント部２０７に密着する方向の付勢力を発生させる。これにより、レンズ鏡筒４と前面マウント部２０７が密着して接続されることにより、熱伝導効率の高い結合状態が実現される。
【００３１】
前面マウント部２０７とマウントバネ２０８は、アダプタ本体ユニット２１１に固定されている。また、三脚座固定部２０９、マウントアダプタ外装部２１２及び背面マウント部２１３も、アダプタ本体ユニット２１１に固定されている。マウントロックピン２１０は、レンズ鏡筒４の光軸方向にスライド可能な状態で、アダプタ本体ユニット２１１に取り付けられている。背面マウント部２１３は、カメラ本体３のカメラ本体マウント部３１８と着脱自在である。背面マウント部２１３がカメラ本体マウント部３１８に接続されることにより、マウントアダプタ２とカメラ本体３とは熱的に結合した状態となる。
【００３２】
図６（ａ），（ｂ）はアダプタ本体ユニット２１１の分解斜視図であり、図６（ａ），（ｂ）ではアダプタ本体ユニット２１１を見る方向が異なっている。アダプタ本体ユニット２１１は、背面電子接点２０１、前面電子接点２０２、アダプタ温度計２０４、ペルチェ素子２０６、放熱板２１４、熱伝導部材２１１１及び樹脂本体部２１１２を有する。
【００３３】
熱伝導部材２１１１は、マウントアダプタ２の主たる構造体であり、アルミニウム、銅、マグネシウム等を主成分とする合金等の熱伝導率の大きい材料で形成されていることが望ましい。熱伝導部材２１１１には、ペルチェ素子２０６の一方の面（第２の側面２０６ｂ（図７（ｃ）参照））と当接する第１の当接面２１１１ａが設けられている。ペルチェ素子２０６の第２の側面２０６ｂと第１の当接面２１１１ａが物理的に接触して伝熱可能に接続されることにより、ペルチェ素子２０６の動作にしたがって熱伝導部材２１１１は加熱又は冷却される。また、熱伝導部材２１１１には、背面マウント部２１３との接触部である第２の当接面２１１１ｂと、前面マウント部２０７との接触部である第３の当接面２１１１ｃが設けられている。よって、熱伝導部材２１１１は、前面マウント部２０７と背面マウント部２１３の両方に接触して、前面マウント部２０７と背面マウント部２１３とを熱的に結合させている。更に、熱伝導部材２１１１には、樹脂本体部２１１２を固定するための第１のビス座２１１１ｄと、アダプタ温度計２０４が固定される第４の当接面２１１１ｅが設けられている。
【００３４】
放熱板２１４は、ペルチェ素子２０６の他方の面（第１の側面２０６ａ（図７（ｃ）参照））に物理的に接触しており、ペルチェ素子２０６を駆動した際の熱を空気へ放出するための役割を担う部品である。放熱板２１４は、空気との接触面積を確保する（表面積を広くする）ことが可能なフィン形状を有する。なお、放熱板２１４は、熱伝導率の大きい金属で形成されていることが望ましい。
【００３５】
樹脂本体部２１１２は、マウントアダプタ外装部２１２と背面マウント部２１３が固定される構造部材である。樹脂本体部２１１２は、熱伝導率の小さい樹脂材料で形成されている。樹脂本体部２１１２は、ビス２１１３によって熱伝導部材２１１１に固定されている。樹脂本体部２１１２には、アダプタ本体ユニット２１１の外部に放熱板２１４を露出させるための穴部２１１２ａが設けられている。樹脂本体部２１１２には、背面マウント部２１３を固定するための第２のビス座２１１２ｂと、マウントアダプタ外装部２１２を固定するための第３のビス座２１１２ｃが設けられている。
【００３６】
背面電子接点２０１と前面電子接点２０２は、例えば、ポリイミドのベース基材に銅箔を積層したフレキシブル配線基板（不図示）によって電気的に接続された状態で、熱伝導部材２１１１に固定されている。また、このフレキシブル配線基板には、マウントアダプタシステム回路２０３とペルチェ駆動回路２０５が実装されており、これらはフレキシブル配線基板内の配線を介してアダプタ温度計２０４及びペルチェ素子２０６と電気的に接続されている。アダプタ温度計２０４は、熱伝導部材２１１１の温度を測定する。
【００３７】
図７（ａ）は、マウントアダプタ２の正面図である。図７（ｂ）は、図７（ａ）に示す矢視Ａ−Ａでの断面図である。図７（ｃ）は、図７（ｂ）に示すＢ部の拡大図である。熱伝導部材２１１１は、第２の当接面２１１１ｂにおいて背面マウント部２１３と接触しており、相互に熱伝導が可能な状態となっている。なお、熱伝導部材２１１１と背面マウント部２１３の間に熱伝導グリス等を塗布してこれらの間に生じる微細な隙間を埋めることにより、熱伝導効率を高めてもよい。熱伝導部材２１１１は、第３の当接面２１１１ｃにおいて前面マウント部２０７と接触しており、相互に熱伝導が可能な状態となっている。熱伝導部材２１１１と前面マウント部２０７の間に熱伝導グリス等を塗布してこれらの間に生じる微細な隙間を埋めることにより、熱伝導効率を高めてもよい。
【００３８】
熱伝導部材２１１１の第１の当接面２１１１ａは、撮像システム１が正姿勢の状態で、レンズ鏡筒４の光軸中心よりも上側となる位置に設けられている。第１の当接面２１１１ａにおいてペルチェ素子２０６の第２の側面２０６ｂが物理的に接触しており、熱伝導部材２１１１とペルチェ素子２０６の第２の側面２０６ｂとの間で伝熱が可能な状態となっている。また、ペルチェ素子２０６の第１の側面２０６ａは放熱板２１４と物理的に接触しており、ペルチェ素子２０６と放熱板２１４の間で熱伝導が可能な状態となっている。
【００３９】
前述したように、放熱板２１４は樹脂本体部２１１２に設けられた穴部２１１２ａにおいて露出している。また、撮像システム１を正姿勢で構えたときのマウントアダプタ外装部２１２における放熱板２１４の略直上部（アダプタ本体ユニット２１１の外周を囲うマウントアダプタ外装部２１２において放熱板２１４と対面する部分）には空気穴２１２ａが設けられている。放熱板２１４により温められた空気は、穴部２１１２ａを通じて上方へ移動した後、空気穴２１２ａを通じて外気へ放出される。つまり、マウントアダプタ２は、ペルチェ素子２０６の駆動時に、放熱板２１４を通じた排熱を効率的に行うことが可能な構造となっている。マウントアダプタ外装部２１２の空気穴２１２ａは、撮像システム１が正姿勢の状態で撮像システム１の上面側となる位置に設けられているため、撮影者がマウントアダプタ２を下側から支持して撮像システム１を構えた場合に空気穴２１２ａが塞がることはない。
【００４０】
ペルチェ駆動回路２０５を駆動してペルチェ素子２０６に電圧の印加（電流制御）を行うことにより、レンズ鏡筒４の最前部レンズに対する結露防止対策と、カメラ本体３内の発熱源に対する冷却対策を行うことができる。
【００４１】
具体的には、システム制御部３０２は、アダプタ温度計２０４により熱伝導部材２１１１の温度低下が検出され、レンズ鏡筒４の最前部レンズに結露が発生する懸念があると判断した場合に、結露防止のために以下の制御を行う。なお、最前部レンズに結露が発生する懸念があるとの判断基準となる熱伝導部材２１１１の温度低下は、実験的に或いは経験的に定められ、システム制御部３０２に記憶されている。
【００４２】
即ち、ペルチェ駆動回路２０５によりペルチェ素子２０６に電圧印加（電流制御）を行い、ペルチェ素子２０６の第１の側面２０６ａを吸熱面（冷却面）、第２の側面２０６ｂを排熱面となるように制御する。これにより、ペルチェ素子２０６の第１の側面２０６ａから第２の側面２０６ｂへ熱を移動させて、熱伝導部材２１１１を加熱することができる。熱伝導部材２１１１に伝わった熱は前面マウント部２０７へ伝わる。ここで、マウントアダプタ２の使用時には前面マウント部２０７にレンズ鏡筒４が取り付けられているため、前面マウント部２０７の熱は更にレンズ鏡筒４へ伝わる。これにより、レンズ鏡筒４が温められることにより、前面部レンズに結露が発生するのを防止することができる。
【００４３】
また、システム制御部３０２は、第１の内部温度計３０９ｂと第２の内部温度計３０９ａによる各温度測定結果に基づいて、カメラ本体３内の発熱源であるシステム制御部３０２と撮像部３０３（撮像素子）の温度を監視している。システム制御部３０２は、温度測定結果に基づき、カメラ本体３内の発熱源の温度上昇によって撮像動作に影響が出る可能性があると判断した場合、カメラ本体３内の発熱源を冷却するために以下の制御を行う。即ち、ペルチェ駆動回路２０５によりペルチェ素子２０６に電圧印加（電流制御）を行い、ペルチェ素子２０６の第２の側面２０６ｂを吸熱面、第１の側面２０６ａを排熱面となるように制御する。これにより、ペルチェ素子２０６の第２の側面２０６ｂから第１の側面２０６ａへ熱を移動させて、熱伝導部材２１１１を冷却することができる。熱伝導部材２１１１の冷却効果は、背面マウント部２１３とカメラ本体マウント部３１８へ伝わる。
【００４４】
ここで、前述したように、カメラ本体マウント部３１８は発熱源（システム制御部３０２と撮像部３０３（撮像素子））と熱的に結合しているため、システム制御部３０２と撮像部３０３が冷却される。これにより、撮像素子での暗電流ノイズの増加を抑制して画像劣化を防ぐと共にシステム制御部３０２を本来の性能で動作させることが可能となり、その結果、例えば、より長時間の動画撮影が可能となる。また、マウントアダプタ外装部２１２は樹脂本体部２１１２に固定されているため、ペルチェ素子２０６の駆動時におけるマウントアダプタ外装部２１２の温度変化を小さく抑えることができる。こうして、マウントアダプタ２は、撮影者がマウントアダプタ２を支持して撮像システム１を構えた際に、撮影者に不快感を与え難い構成となっている。
【００４５】
以上の説明の通り、第１実施形態では、マウントアダプタの内部に能動的に温度制御が可能な温度制御手段を搭載している。これにより、レンズ鏡筒に結露防止用のヒータを設置する必要がなくなり、また、カメラ本体内の発熱源の温度上昇を抑制するためにカメラ本体の表面積を増やす必要がない。その結果として、カメラ本体の大型化を回避することができる。また、カメラ本体内の発熱源を冷却し、及び／又は、最前部レンズでの結露の発生を抑制することが可能となる。
【００４６】
なお、マウントアダプタ２では、熱伝導部材２１１１は前面マウント部２０７と背面マウント部２１３とを熱的に接続している。そのため、カメラ本体３内の発熱源で発生した熱は、カメラ本体マウント部３１８、背面マウント部２１３、熱伝導部材２１１１及び前面マウント部２０７を介して、レンズ鏡筒４へ伝えられる。また、熱伝導部材２１１１を加熱した場合の加熱効果は、レンズ鏡筒４のみでなくカメラ本体３へも及び、同様に、熱伝導部材２１１１を冷却した場合の冷却効果は、カメラ本体３のみでなくレンズ鏡筒４へも及ぶ。よって、ペルチェ素子２０６により熱伝導部材２１１１を加熱するか冷却するかは、第１の内部温度計３０９ｂ、第２の内部温度計３０９ａ及びアダプタ温度計２０４での温度測定結果に基づいて、撮像時に支障が生じないように制御すればよい。
【００４７】
また、前面マウント部２０７と背面マウント部２１３を熱的に接続する熱伝導部材２１１１を備えるマウントアダプタ２について説明した。これに対して、レンズ鏡筒４での結露対策のみが可能なマウントアダプタであれば、前面マウント部２０７に対してのみ熱的に接続された熱伝導部材を備える構成とすればよい。逆に、カメラ本体３内の発熱源に対する冷却対策のみが可能なマウントアダプタであれば、背面マウント部２１３に対してのみ熱的に接続された熱伝導部材を備える構成とすればよい。
【００４８】
＜第２実施形態＞
図８（ａ）は、第２実施形態に係るマウントアダプタ６の斜視図である。図８（ｂ）は、マウントアダプタ６の分解斜視図である。マウントアダプタ６は第１実施形態で説明したマウントアダプタ２に代わるものであり、撮像システム１と同様に、マウントアダプタ６の前面に対してレンズ鏡筒４が着脱自在であり、マウントアダプタ６の背面側はカメラ本体３に着脱自在である。
【００４９】
マウントアダプタ６は、不図示のレンズ鏡筒４側から順に配置された、前面マウント部６０７（第１のマウント部）、マウントバネ６０８、アダプタ本体ユニット６１１、マウントアダプタ外装部６１２及び背面マウント部６１３（第２のマウント部）を有する。また、マウントアダプタ６は、三脚座固定部６０９と、マウントロックピン６１０を有する。
【００５０】
前面マウント部６０７は、金属で構成され、レンズ鏡筒４と当接するマウント面を有する。前面マウント部６０７の背面に配置されたマウントバネ６０８は、レンズ鏡筒４（不図示）の光軸方向でのガタつきを低減させるために、レンズ鏡筒４が前面マウント部６０７に密着する方向の付勢力を発生させる。これにより、レンズ鏡筒４と前面マウント部６０７は、密着して接続されることにより、熱伝導効率の高い結合状態が実現される。
【００５１】
前面マウント部６０７及びマウントバネ６０８は、アダプタ本体ユニット６１１に固定されている。また、三脚座固定部６０９、マウントアダプタ外装部６１２及び背面マウント部６１３も、アダプタ本体ユニット６１１に固定されている。マウントロックピン６１０は、レンズ鏡筒４の光軸方向にスライド可能な状態で、アダプタ本体ユニット６１１に取り付けられている。背面マウント部６１３は、カメラ本体３のカメラ本体マウント部３１８と着脱自在である。
【００５２】
図９（ａ），（ｂ）はそれぞれ、アダプタ本体ユニット６１１の分解斜視図であり、図９（ａ），（ｂ）ではアダプタ本体ユニット６１１を見る方向が異なっている。アダプタ本体ユニット６１１は、背面電子接点６０１、前面電子接点６０２、アダプタ温度計２０４、ペルチェ素子２０６、第１の熱伝導部材６１１１及び樹脂本体部６１１２を有する。
【００５３】
第１の熱伝導部材６１１１は、マウントアダプタ６の主たる構造体であり、アルミニウム、銅、マグネシウム等を主成分とする合金等の熱伝導率の大きい材料で形成されていることが望ましい。第１の熱伝導部材６１１１には、ペルチェ素子２０６の一方の面（第２の側面２０６ｂ（図１０（ｃ）参照））と当接する第１の当接面６１１１ａが設けられている。ペルチェ素子２０６の第２の側面２０６ｂと第１の当接面６１１１ａが物理的に接触して伝熱可能に接続されることにより、ペルチェ素子２０６の動作にしたがって第１の熱伝導部材６１１１は加熱される。
【００５４】
また、第１の熱伝導部材６１１１には、アダプタ温度計２０４が固定される第２の当接面６１１１ｂが設けられており、アダプタ温度計２０４による第１の熱伝導部材６１１１の温度測定が可能となっている。更に、第１の熱伝導部材６１１１には、前面マウント部６０７との接触部である第３の当接面６１１１ｃと、樹脂本体部６１１２を固定するための第１のビス座６１１１ｄが設けられている。
【００５５】
樹脂本体部６１１２は、マウントアダプタ外装部６１２及び背面マウント部６１３が固定される構造部材である。樹脂本体部６１１２は、第１の熱伝導部材６１１１よりも熱伝導率の小さい樹脂部材で形成されている。樹脂本体部６１１２は、ビス６１１３によって第１の熱伝導部材６１１１に固定されている。樹脂本体部６１１２には、第１の熱伝導部材６１１１に対する固定に用いられる第２のビス座６１１２ａと、マウントアダプタ外装部６１２に対する固定に用いられる第３のビス座６１１２ｂが設けられている。
【００５６】
背面電子接点６０１と前面電子接点６０２は、例えば、ポリイミドのベース基材に銅箔を積層したフレキシブル配線基板（不図示）によって電気的に接続された状態で、第１の熱伝導部材６１１１に固定されている。このフレキシブル配線基板には、マウントアダプタシステム回路２０３とペルチェ駆動回路２０５が実装されており、これらはフレキシブル配線基板内の配線を介してアダプタ温度計２０４及びペルチェ素子２０６と電気的に接続されている。
【００５７】
図９（ｃ）は、背面マウント部６１３の分解斜視図である。背面マウント部６１３は、マウントリング６１３１と、第２の熱伝導部材６１３２を有する。マウントリング６１３１と第２の熱伝導部材６１３２は、アルミニウム、銅、マグネシウム等を主成分とする合金等の熱伝導率の大きい材料で形成されていることが望ましい。本実施形態では、背面マウント部６１３をマウントリング６１３１と第２の熱伝導部材６１３２からなる２部品で構成としているが、１部品で構成してもよい。
【００５８】
第２の熱伝導部材６１３２に設けられた第４の当接面６１３２ｂにおいて、第２の熱伝導部材６１３２はマウントリング６１３１と密着した状態となるようにビス６１３３により固定されている。第２の熱伝導部材６１３２は、第５の当接面６１３２ａを有する。前述の通り、ペルチェ素子２０６の第２の側面２０６ｂは第１の熱伝導部材６１１１と物理的に接触（当接）している。ペルチェ素子２０６の他方の面（第１の側面２０６ａ（図１０（ｃ）参照）は、第２の熱伝導部材６１３２の第５の当接面６１３２ａと物理的に接触（当接）し、伝熱可能に接続される。これにより、ペルチェ素子２０６の動作により、第５の当接面６１３２ａは冷却される。また、背面マウント部６１３は、マウントリング６１３１がカメラ本体３のカメラ本体マウント部３１８に装着されることにより、カメラ本体マウント部３１８に対しても熱的に結合している。
【００５９】
図１０（ａ）は、マウントアダプタ６の正面図である。図１０（ｂ）は、図１０（ａ）に示す矢視Ｃ−Ｃでの断面図である。図１０（ｃ）は、図１０（ｂ）に示すＤ部の拡大図である。第１の熱伝導部材６１１１は、第３の当接面６１１１ｃにおいて前面マウント部６０７と接触しており、相互に熱伝導が可能な状態となっている。なお、第１の熱伝導部材６１１１と前面マウント部６０７の間に熱伝導グリス等を塗布してこれらの間に生じる微細な隙間を埋めることにより、熱伝導効率を高めてもよい。また、第２の熱伝導部材６１３２は、第４の当接面６１３２ｂにおいてマウントリング６１３１と接触して、相互に熱伝導が可能な状態となっている。第２の熱伝導部材６１３２とマウントリング６１３１の間に熱伝導グリス等を塗布してこれらの間に生じる微細な隙間を埋めることにより、熱伝導効率を高めてもよい。
【００６０】
第１の熱伝導部材６１１１の第１の当接面６１１１ａは、ペルチェ素子２０６の第２の側面２０６ｂと物理的に接触している。また、第２の熱伝導部材６１３２の第５の当接面６１３２ａは、ペルチェ素子２０６の第１の側面２０６ａと物理的に接触している。更に、第１の熱伝導部材６１１１と第２の熱伝導部材６１３２は、離間して固定されているため、直接は接触していない。
【００６１】
このような構成により、ペルチェ駆動回路２０５によりペルチェ素子２０６に電圧印加（電流制御）を行うことで、レンズ鏡筒４の最前部レンズに対する結露防止対策と、カメラ本体３内の発熱源に対する冷却対策を同時に行うことができる。
【００６２】
具体的には、システム制御部３０２は、アダプタ温度計２０４により第１の熱伝導部材６１１１の温度低下が検出され、レンズ鏡筒４の最前部レンズに結露が発生する懸念があると判断した場合に、結露防止のために以下の制御を行う。即ち、ペルチェ駆動回路２０５によりペルチェ素子２０６に電圧印加（電流制御）を行い、ペルチェ素子２０６の第１の側面２０６ａを吸熱面、第２の側面２０６ｂを排熱面となるように制御する。これにより、ペルチェ素子２０６の第１の側面２０６ａから第２の側面２０６ｂへ熱を移動させて、第１の熱伝導部材６１１１を加熱することができる。第１の熱伝導部材６１１１に伝わった熱は、前面マウント部６０７へ伝わる。ここで、マウントアダプタ６の使用時には前面マウント部６０７にレンズ鏡筒４が取り付けられているため、前面マウント部６０７の熱は更にレンズ鏡筒４へ伝わる。こうしてレンズ鏡筒４が温められることにより、前面部レンズに結露が発生するのを防止することができる。
【００６３】
また、最前部レンズに対する結露の発生を防止するための前述の制御を行った場合には同時に、第２の熱伝導部材６１３２が冷却されることにより、カメラ本体３内の発熱源（システム制御部３０２、撮像部３０３（撮像素子））を冷却することができる。つまり、第２の熱伝導部材６１３２の冷却効果は、背面マウント部６１３に伝わる。背面マウント部６１３はカメラ本体３のカメラ本体マウント部３１８と熱的に結合し、カメラ本体マウント部３１８は発熱源（システム制御部３０２、撮像部３０３（撮像素子））と熱的に結合しているため、システム制御部３０２と撮像部３０３が冷却される。これにより、撮像素子での暗電流ノイズの増加を抑制して画像劣化を防ぐと共にシステム制御部３０２を本来の性能で動作させることが可能となり、その結果、例えば、より長時間の動画撮影が可能となる。
【００６４】
更に、マウントアダプタ外装部６１２は熱伝導率の小さい樹脂本体部６１１２に固定されているため、ペルチェ素子２０６の駆動時におけるマウントアダプタ外装部６１２の温度変化を小さく抑えることができる。こうして、マウントアダプタ６は、撮影者がマウントアダプタ６を支持して撮像システム１を構えた際に、撮影者に不快感を与え難い構成となっている。
【００６５】
上記説明の通り、第２実施形態でも、第１実施形態と同様にマウントアダプタの内部に能動的に温度制御が可能な温度制御手段を搭載することにより、第１実施形態と同様の効果を得ることができる。また、第２実施形態では、ペルチェ素子への電圧印加（電流制御）の方向の切り替えを行うことなく、レンズ鏡筒４の最前部レンズでの結露の発生を抑制しながらカメラ本体３内の発熱源を冷却することができる。
【００６６】
＜第３実施形態＞
第３実施形態では、上述した第２実施形態の特徴的構成をレンズ鏡筒に適用した構成について説明する。図１１（ａ）は、第３実施形態に係るレンズ鏡筒７の斜視図である。図１１（ｂ）は、レンズ鏡筒７の分解斜視図である。なお、レンズ鏡筒７は、ミラーレスカメラのカメラ本体３のフランジバック距離に適合するレンズである。
【００６７】
レンズ鏡筒７は、被写体側から順に配置された、加飾リング７０１、鏡筒ユニット７０２、鏡筒外装部７０３及び背面マウント部７０４を有する。加飾リング７０１は、内部のレンズ接着部を覆い隠すことを目的とする部材であり、鏡筒ユニット７０２に固定されている。また、鏡筒外装部７０３と背面マウント部７０４も、鏡筒ユニット７０２に固定されている。
【００６８】
図１２（ａ），（ｂ）はそれぞれ、鏡筒ユニット７０２の分解斜視図であり、図１２（ａ），（ｂ）では鏡筒ユニット７０２を見る方向が異なっている。鏡筒ユニット７０２は最前部レンズ７０２１、ＡＦ用レンズ群７０２２ａ，７０２２ｂ、ＡＦ用レンズホルダ７０２３、第１の熱伝導部材７０２４、鏡筒温度計７０５、ペルチェ素子２０６、後部レンズ７０２５及び樹脂本体部７０２６を有する。
【００６９】
第１の熱伝導部材７０２４は、鏡筒ユニット７０２の最も強固な構造体であり、例えば、アルミニウム、銅、マグネシウム等を主成分とする合金等の熱伝導率の大きい材料で形成されていることが望ましい。第１の熱伝導部材７０２４には、ペルチェ素子２０６の一方の面（第２の側面２０６ｂ（図１３（ｃ）参照））と当接する第１の当接面７０２４ａが設けられている。また、第１の熱伝導部材７０２４には、鏡筒温度計７０５が固定される第２の当接面７０２４ｃが設けられており、鏡筒温度計７０５による第１の熱伝導部材７０２４の温度測定が可能となっている。
【００７０】
第１の熱伝導部材７０２４の前面部には最前部レンズ７０２１が固定され、第１の熱伝導部材７０２４の後部には後部レンズ７０２５が固定される。最前部レンズ７０２１と後部レンズ７０２５の間には、ＡＦ用レンズ群７０２２ａ，７０２２ｂが固定されたＡＦ用レンズホルダ７０２３が第１の熱伝導部材７０２４に対して、光軸方向に駆動可能に配置される。
【００７１】
樹脂本体部７０２６は、鏡筒外装部７０３と背面マウント部７０４が固定される構造部材である。樹脂本体部７０２６は、熱伝導率の小さい樹脂材料で形成されている。樹脂本体部７０２６は、ビス７０２７によって第１の熱伝導部材７０２４に固定されている。樹脂本体部７０２６には、背面マウント部７０４を固定するための第１のビス座７０２６ａと、鏡筒外装部７０３を固定するための第２のビス座７０２６ｂが設けられている。鏡筒外装部７０３は、レンズ鏡筒７の外装を成している。
【００７２】
図１２（ｃ）は、背面マウント部７０４の分解斜視図である。背面マウント部７０４は、マウントリング７０４１、第２の熱伝導部材７０４２及び背面電子接点７０４３を有する。マウントリング７０４１と第２の熱伝導部材７０４２は、例えば、アルミニウム、銅、マグネシウム等を主成分とする合金等の熱伝導率の大きい材料で形成されていることが望ましい。本実施形態では、マウントリング７０４１と第２の熱伝導部材７０４２を分けて２部品としているが、これらは１部品で構成されていてもよい。第２の熱伝導部材７０４２は、第５の当接面７０４２ｂを有する。第２の熱伝導部材７０４２は、第５の当接面７０４２ｂにおいてマウントリング７０４１と密着した状態で、ビス７０４４によって背面マウント部７０４と結合している。また、第２の熱伝導部材７０４２には、ペルチェ素子２０６の他方の面（第１の側面２０６ａ（図１３（ｃ）参照））と当接する第６の当接面７０４２ａが設けられている。ペルチェ素子２０６の第１の側面２０６ａと第６の当接面７０４２ａが物理的に接触して伝熱可能に接続されることにより、ペルチェ素子２０６の動作にしたがって第２の熱伝導部材７０４２は冷却される。
【００７３】
マウントリング７０４１は、カメラ本体３のカメラ本体マウント部３１８に対して着脱自在である。背面電子接点７０４３は、ポリイミドのベース基材に銅箔を積層したフレキシブル配線基板（不図示）を介して、カメラ本体電子接点３０１と電気的に接続されている。このフレキシブル配線基板には、ペルチェ素子２０６を駆動するためのペルチェ駆動回路２０５が実装されており、ペルチェ駆動回路２０５はペルチェ素子２０６及び鏡筒温度計７０５と電気的に接続されている。鏡筒温度計７０５は、第１の熱伝導部材７０２４の温度を測定する。
【００７４】
図１３（ａ）は、レンズ鏡筒７の正面図である。図１３（ｂ）は、図１３（ａ）に示す矢視Ｅ−Ｅでの断面図である。図１３（ｃ）は、図１３（ｂ）に示すＦ部の拡大図である。
【００７５】
第１の熱伝導部材７０２４は、最前部レンズ７０２１と接触する第３の当接面７０２４ｂを有しており、第１の熱伝導部材７０２４から最前部レンズ７０２１への直接伝熱が可能となっている。第１の熱伝導部材７０２４は、後部レンズ７０２５と接触する第４の当接面７０２４ｄを有しており、第１の熱伝導部材７０２４から後部レンズ７０２５への直接伝熱が可能となっている。そして、前述の通り、第２の熱伝導部材７０４２は、第５の当接面７０４２ｂにおいて背面マウント部７０４（マウントリング７０４１）と接触しており、相互に熱伝導が可能な状態となっている。なお、第２の熱伝導部材７０４２と背面マウント部７０４の間に熱伝導グリス等を塗布してこれらの間に生じる微細な隙間を埋めることにより、熱伝導効率を高めてもよい。
【００７６】
更に、第１の熱伝導部材７０２４は、第１の当接面７０２４ａにおいてペルチェ素子２０６の第２の側面２０６ｂと物理的に接触している。また、第２の熱伝導部材７０４２は、第６の当接面７０４２ａにおいて、ペルチェ素子２０６の第１の側面２０６ａと物理的に接触している。そして、第１の熱伝導部材７０２４と第２の熱伝導部材７０４２は、直接接触することなく離間して固定されている。
【００７７】
このような構成により、ペルチェ駆動回路２０５によりペルチェ素子２０６に電圧印加（電流制御）を行うことで、レンズ鏡筒７の最前部レンズ７０２１に対する結露防止対策とカメラ本体３内の発熱源に対する冷却対策を行うことができる。
【００７８】
具体的には、システム制御部３０２は、鏡筒温度計７０５により第１の熱伝導部材７０２４の温度低下が検出され、レンズ鏡筒７の最前部レンズ７０２１に結露が発生する懸念があると判断した場合に、結露防止のために以下の制御を行う。即ち、ペルチェ駆動回路２０５によりペルチェ素子２０６に電圧印加（電流制御）を行い、ペルチェ素子２０６の第１の側面２０６ａを吸熱面、第２の側面２０６ｂを排熱面となるように制御する。ペルチェ素子２０６の第１の側面２０６ａから第２の側面２０６ｂへ熱を移動させることにより、第１の熱伝導部材７０２４を加熱することができる。こうして、第１の熱伝導部材７０２４が温められることにより、最前部レンズ７０２１を温めて結露の発生を抑制することができる。
【００７９】
最前部レンズ７０２１に対する結露防止のための前述の制御を行った場合には同時に、第２の熱伝導部材７０４２が冷却されることでカメラ本体３内の発熱源を冷却することができる。つまり、背面マウント部７０４はカメラ本体３のカメラ本体マウント部３１８と熱的に結合するため、第２の熱伝導部材７０４２の冷却効果はカメラ本体マウント部３１８へ伝わる。そして、カメラ本体３においてカメラ本体マウント部３１８は発熱部（システム制御部３０２、撮像部３０３（撮像素子））と熱的に結合しているため、システム制御部３０２と撮像部３０３が冷却される。これにより、撮像素子での暗電流ノイズの増加を抑制して画像劣化を防ぐと共にシステム制御部３０２を本来の性能で動作させることが可能となり、その結果、例えば、より長時間の動画撮影が可能となる。
【００８０】
また、鏡筒外装部７０３は、熱伝導率の小さい樹脂本体部７０２６に固定されているため、ペルチェ素子２０６の駆動時に第１の熱伝導部材７０２４と第２の熱伝導部材７０４２の温度変化の影響を受け難い。つまり、ペルチェ素子２０６の駆動時における鏡筒外装部７０３の温度変化は小さく抑えられる。こうして、レンズ鏡筒７は、撮影者がレンズ鏡筒７を支持して撮像システムを構えた際に、撮影者に不快感を与え難い構成となっている。
【００８１】
上記説明の通り、第３実施形態では、第２実施形態と同様にレンズ鏡筒の内部に能動的に温度制御が可能な温度制御手段を搭載することにより、第２実施形態と同様の効果を得ることができる。また、第３実施形態では、最前部レンズ７０２１を第１の熱伝導部材７０２４によって直接温めることができるため、最前部レンズでの結露の発生をより効果的に抑制することができる。
【００８２】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【符号の説明】
【００８３】
１    撮像システム
２，６    マウントアダプタ
３    カメラ本体
４，７    レンズ鏡筒
２０４    アダプタ温度計
２０６    ペルチェ素子
２０６ａ    第１の側面
２０６ｂ    第２の側面
２０７，６０７    前面マウント部
２１１，６１１    アダプタ本体ユニット
２１２，６１２    マウントアダプタ外装部
２１２ａ    空気穴
２１３，６１３    背面マウント部
２１４    放熱板
３０２    システム制御部
３０３    撮像部
３０９ａ    第２の内部温度計
３０９ｂ    第１の内部温度計
７０４    背面マウント部
７０５    鏡筒温度計
２１１１    熱伝導部材
６１１１，７０２４    第１の熱伝導部材
６１１２    樹脂本体部
６１３２，７０４２    第２の熱伝導部材
７０２１    最前部レンズ
【図１】
2020079874.tif 000003
【図２】
2020079874.tif 000004
【図３】
2020079874.tif 000005
【図４】
2020079874.tif 000006
【図５】
2020079874.tif 000007
【図６】
2020079874.tif 000008
【図７】
2020079874.tif 000009
【図８】
2020079874.tif 000010
【図９】
2020079874.tif 000011
【図１０】
2020079874.tif 000012
【図１１】
2020079874.tif 000013
【図１２】
2020079874.tif 000014
【図１３】
2020079874.tif 000015